(57)【特許請求の範囲】
【請求項１】
叩かれることで音を発する発音体と、前記発音体を叩く打撃ハンマーと、前記打撃ハンマーを回動可能かつ揺動可能に支持する回動揺動機構と、を具備した打鳴装置において、前記打撃ハンマーに固定された従動永久磁石と、前記従動永久磁石へ磁力の影響を与える位置に配置された駆動永久磁石と、前記駆動永久磁石を揺動運動させる揺動装置と、を備えることを特徴とする発音体打鳴装置。
【請求項２】
前記従動永久磁石の重心が前記回動揺動機構の回動軸上に位置し、かつ前記従動永久磁石の磁化方向と前記回動揺動機構の回動軸の方向とが同一方向とならない向きに配置されること、または、前記従動永久磁石の重心が前記回動揺動機構の回動軸上でない位置に配置されること、を特徴とする請求項１に記載の発音体打鳴装置。
【請求項３】
前記駆動永久磁石は、２個以上備え、かつ個別に揺動運動することを特徴とする請求項１又は２に記載の発音体打鳴装置。
【請求項４】
前記揺動装置は、前記駆動永久磁石を揺動可能に支持する振り子と、前記駆動永久磁石とわずかな間隔で向かい合う電磁コイルと、前記振り子の揺動周期にて、前記電磁コイルの通電制御を行う通電回路装置と、前記通電回路装置へ電力を供給する電源と、を備えることを特徴とする請求項１〜３に記載の発音体打鳴装置。
【発明の詳細な説明】
【技術分野】
【０００１】  本発明は、発音体打鳴装置に関するものである。
【背景技術】
【０００２】  従来、人為的に発音体から自然の揺らぎに近い音を発生させるために、例えば特許文献１に記載されているように、駆動間隔や駆動パターン信号を予め設定し、それに基づいてモーターを駆動させ発音体を打鳴させる方法がある。
【先行技術文献】
【特許文献】
【０００３】
【特許文献１】特開２０１１−２３７５７７号公報
【発明の概要】
【発明が解決しようとする課題】
【０００４】  しかしながら、特許文献１の方法では、予め決められた設定に基づいて発音体を打鳴させているため、規則性を持ってしまい、自然音のようにランダムな間隔で音を発生させることができなかった。【０００５】  本発明は、このような状況を鑑みてなされたものであり、規則性を感じさせないランダムな間隔で人為的に音を発生させる発音体打鳴装置の提案を課題とする。
【課題を解決するための手段】
【０００６】  請求項１の発明は、叩かれることで音を発する発音体と、前記発音体を叩く打撃ハンマーと、前記打撃ハンマーを回動可能かつ揺動可能に支持する回動揺動機構と、を具備した打鳴装置において、前記打撃ハンマーに固定された従動永久磁石と、前記従動永久磁石へ磁力の影響を与える位置に配置された駆動永久磁石と、前記駆動永久磁石を揺動運動させる揺動装置と、を備えることを特徴とする発音体打鳴装置である。【０００７】  請求項２の発明は、前記従動永久磁石の重心が前記回動揺動機構の回動軸上に位置し、かつ前記従動永久磁石の磁化方向と前記回動揺動機構の回動軸の方向とが同一方向とならない向きに配置されること、または、前記従動永久磁石の重心が前記回動揺動機構の回動軸上でない位置に配置されること、を特徴とする請求項１に記載の発音体打鳴装置である。【０００８】  請求項３の発明は、前記駆動永久磁石は、２個以上備え、かつ個別に揺動運動することを特徴とする請求項１又は２に記載の発音体打鳴装置である。【０００９】  請求項４の発明は、前記揺動装置は、前記駆動永久磁石を揺動可能に支持する振り子と、前記駆動永久磁石とわずかな間隔で向かい合う電磁コイルと、前記振り子の揺動周期にて、前記電磁コイルの通電制御を行う通電回路装置と、前記通電回路装置へ電力を供給する電源と、を備えることを特徴とする請求項１〜３に記載の発音体打鳴装置である。
【発明の効果】
【００１０】  請求項１の発明によれば、揺動運動する駆動永久磁石の磁力の影響を受け、従動永久磁石が回動運動及び揺動運動を行うことにより、打撃ハンマーが発音体を叩き音が発生する。この際、駆動永久磁石と従動永久磁石とは、刻々と変化するそれぞれの位置や運動エネルギーが影響を及ぼし合いながら運動を行うため、打撃ハンマーの動きは複雑なものになる。これにより、規則性を感じさせないランダムな間隔で人為的に音を発生させる発音体打鳴装置を実現することができる。【００１１】  請求項２の発明によれば、従動永久磁石の回動運動が行われやすくなることで、駆動永久磁石と従動永久磁石との連携がより複雑になるため、発音体から発生する音の間隔を一層複雑にする発音体打鳴装置を実現することができる。【００１２】  請求項３の発明により、従動永久磁石へ磁力の影響を与えるための駆動永久磁石の数が増えることで、駆動永久磁石と従動永久磁石との連携がさらに複雑になるため、発音体から発生する音の間隔をより一層複雑にする発音体打鳴装置を実現することができる。【００１３】  請求項４の発明により、従動永久磁石へ磁力の影響を与えるための駆動永久磁石を、揺動装置の一部として用いることができ、コスト削減に資することができる。
【図面の簡単な説明】
【００１４】
【図１】実施例の発音体打鳴装置の分解斜視図である。
【図２】実施例の発音体打鳴装置における回動揺動機構の分解斜視図である。
【図３】実施例の発音体打鳴装置における従動永久磁石の配置状況を示す斜視図である。
【図４】実施例の発音体打鳴装置における振り子ユニットの分解斜視図である。
【図５】実施例の発音体打鳴装置における電磁コイルユニットの分解斜視図である。
【図６】（Ａ）及び（Ｂ）は、実施例の発音体打鳴装置における従動永久磁石と駆動永久磁石との作動状況を示す上面図である。
【図７】実施例の発音体打鳴装置における従動永久磁石の配置状況の変形例を示す斜視図である。
【図８】実施例の発音体打鳴装置における従動永久磁石の配置状況の変形例を示す斜視図である。
【図９】実施例の発音体打鳴装置における回動揺動機構の変形例を示す斜視図である。
【図１０】実施例の発音体打鳴装置における発音体の変形例を示す斜視図である。
【発明を実施するための形態】
【００１５】  本発明を実施するための形態に関する実施例を以下に説明する。
【００１６】（構造説明）
図１は本実施例の発音体打鳴装置１を示す図である。この発音体打鳴装置１は上部ケース２、下部ケース３を筺体として成り立っており、これらは発音体４を挟み込む形で、ネジ５にてそれぞれ結合固定される。また、打撃ハンマー６は、特に限定はされないが、真鍮材の円筒形状をしており、回動揺動機構１０へ圧入固定される。この際、発音体４の中央に形成された突起群４ａと打撃ハンマー６とは、わずかな間隔を保ち接触していない。一方、揺動装置７は振り子ユニット２０と電磁コイルユニット３０とから構成され、これらはナット８にて結合固定され、電磁コイルユニット２０はネジ９にて上部ケース２に固定される。また詳細は後述するが、回動揺動機構１０はねじれ部材１３及び従動永久磁石１４を包含し、振り子ユニット２０は駆動永久磁石２３を包含する。
【００１７】  図２に示すように、回動揺動機構１０は打撃ハンマーケース１１、キャップ１２及びねじれ部材１３から成り立っており、打撃ハンマーケース１１には打撃ハンマー６を圧入固定するための圧入部１１ａと窪み部１１ｂが形成されている。窪み部１１ｂには従動永久磁石１４が挿入され、キャップ１２が打撃ハンマーケース１１に圧入固定されることで、従動永久磁石１４も固定される。一方、ねじれ部材１３は、特に限定はされないが、可撓性を有する吊り糸からなり、その一端が、キャップ１２の中央に接着固定され、もう一端が後述する電磁コイルケース３１に接着固定される。この際、図３に示すように、従動永久磁石１４の重心１４ａは回動揺動機構１０の回動軸１５と一致し、かつ従動永久磁石１４の磁化方向１４ｂは回動軸１５と直交している。
【００１８】  図４に示すように、振り子ユニット２０は支柱２１と３本の振り子２２とから成り立っており、振り子の本数は特に限定されない。振り子２２の下端に形成された窪み部２２ａに駆動永久磁石２３が接着固定される。一方、振り子２２の上端に形成された軸部２２ｂは、支柱２１の上部に形成された軸受２１ａに転がり可能に支持される。
【００１９】  図５に示すように、電磁コイルユニット３０は電磁コイルケース３１を筺体として成り、電磁コイルケース３１の中央に通電回路装置３２が接着固定される。また、電源として、特に限定はされないが、太陽電池３３が通電回路装置３２の上部に配置される。一方、電磁コイル３４は、振り子ユニット２０と電磁コイルユニット３０とが組み立てられた際、各駆動永久磁石２３の下に配置されるように電磁コイルケース３１に接着固定される。
【００２０】（動作説明）
太陽電池３３に光が当たると電圧が生じ、電磁コイル３４は通電する。電磁コイル３４の通電に伴い、駆動永久磁石２３は駆動させられ、振り子２２は揺動運動を開始する。また、通電回路装置３２は振り子２２の揺動周期にて通電制御を行うため、振り子２２は揺動運動を継続する。振り子２２の揺動運動に伴い、駆動永久磁石２３は従動永久磁石１４に接近と離脱を繰り返すことで、従動永久磁石１４は磁力の影響を受け運動が行われる。
【００２１】  この際、従動永久磁石１４と駆動永久磁石２３との相対的な関係により、従動永久磁石１４へ加えられる力は２種類に区別できる。図６に示すように、（Ａ）に示した状態は、駆動永久磁石２３の接近方向２３ａに対し従動永久磁石１４の磁化方向１４ｂが直交している様子を表し、駆動永久磁石２３の接近に伴い、従動永久磁石１４のどちらか一方の磁極は駆動永久磁石２３に吸引され、他方の磁極は駆動永久磁石２３と反発するため、従動永久磁石１４には回動揺動機構１０の回動軸１５を中心軸とする回転力が加えられる。（Ｂ）に示した状態は、駆動永久磁石２３の接近方向２３ａに対し従動永久磁石１４の磁化方向１４ｂが同一方向にある様子を表し、駆動永久磁石２３の接近に伴い従動永久磁石１４には、その磁化方向１４ｂへの揺動力が加えられる。そして、従動永久磁石１４と駆動永久磁石２３との相対的な関係は刻々と変化していくため、揺動永久磁石１４へは様々な力が加えられ、打撃ハンマー６は複雑な回動揺動運動を行う。これらにより、打撃ハンマー６は発音体４の突起群４ａを複雑に打撃し、規則性を感じさせないランダムな音が発せられる。
【００２２】  以上、本発明の好ましい実施例を説明したが、本発明は上述の実施例に限定されず、例えば次の変形例を包含する。
（１）図７に示すように、従動永久磁石１４の磁化方向１４ａと回動揺動機構１０の回動軸１５とが成す角度１００が、０度を超え９０度未満となる構造とする。
（２）図８に示すように、従動永久磁石１４の重心１４ａは回動揺動機構１０の回動軸１５と一致しない構造とする。
（３）図９に示すように、ねじれ部材１３を有する回動揺動機構１０の代わりに、先端が球状の軸２０１ａが設けられた打撃ハンマーケース２０１と、軸２０１ａを支持する皿部２０２ａが設けられた軸受２０２から成る回動揺動機構２００を備える構造とする。この際、打撃ハンマー２０３は打撃ハンマーケース２０１の突起部２０１ｂへ圧入固定される。
（４）図１０に示すように、発音体４の代わりに、お椀状の発音体３００を備える構造とする。
【産業上の利用可能性】
【００２３】  本発明は、例えば自然の揺らぎに近い音を発生させ、リラックス効果を得られるインテリアのために利用できる。
【符号の説明】
【００２４】１  発音体打鳴装置
４  発音体
６  打撃ハンマー
７  揺動装置
１０  回動揺動機構
１３  ねじれ部材
１４  従動永久磁石
１４ａ  重心
１４ｂ  磁化方向
１５  回動軸
２０  振り子ユニット
２２  振り子
２３  駆動永久磁石
３０  電磁コイルユニット
３２  通電回路装置
３３  太陽電池
３４  電磁コイル
【図１】
0006661094.tif 000002
【図２】
0006661094.tif 000003
【図３】
0006661094.tif 000004
【図４】
0006661094.tif 000005
【図５】
0006661094.tif 000006
【図６】
0006661094.tif 000007
【図７】
0006661094.tif 000008
【図８】
0006661094.tif 000009
【図９】
0006661094.tif 000010
【図１０】
0006661094.tif 000011